(57)【要約】【課題】  胸部および腹部に掛け渡されるシートベルト部分を緩めに調整して不快感，圧迫感から解放し、衝突時には腹部に掛け渡されるシートベルト部分は勿論、胸部に掛け渡されたシートベルト部分にもシートベルト本来の機能が働き、シートベルトへの着脱が容易で、しかも安価に製造できるシートベルト戻り止め具を提供する。【解決手段】  ベルト孔Ｈａに差し込んでシートベルトＢの出し入れを遮る差し込み部１と、シートベルトＢをスライド可能に保持するベルト保持部２とを備え、シートベルトＢ装着時は、前記ベルト保持部２によって、シートベルトＢを引戻らない角度αで保持するとともに、前記差し込み部１を前記ベルト孔Ｈａに差し込んでシートベルトＢの出し入れを遮り、シートベルトに強い力が加わったときには、前記差し込み部１が前記ベルト孔Ｈａから外れることで、シートベルトＢのロックがかかるようにすることを特徴とするシートベルト戻り止め具。【選択図】        図５
2005075097.tif 000002
【特許請求の範囲】
【請求項１】
ショルダーベルトアンカーのベルト孔に差し込むシートベルト戻り止め具であって、
前記ベルト孔に差し込んでシートベルトの出し入れを遮る差し込み部と、
シートベルトをスライド可能に保持するベルト保持部とを備え、
シートベルト装着時は、前記ベルト保持部によって、シートベルトを引戻らない角度で保持するとともに、前記差し込み部を前記ベルト孔に差し込んでシートベルトの出し入れを遮り、
シートベルトに強い力が加わったときには、前記差し込み部が前記ベルト孔から外れることで、シートベルトのロックがかかるようにすることを特徴とするシートベルト戻り止め具。
【請求項２】
ショルダーベルトアンカーのベルト孔に差し込むシートベルト戻り止め具であって、
前記ベルト孔に差し込んでもシートベルトの出し入れを遮らない差し込み部と、
シートベルトをスライド可能に保持するベルト保持部とを備え、
前記ベルト保持部は、使用時のシートベルトを、シートベルトが引戻らない角度で保持することを特徴とするシートベルト戻り止め具。
【請求項３】
肩口にあるシートベルト収納口に差し込むシートベルト戻り止め具であって、
前記シートベルト収納口に差し込んでもシートベルトの出し入れを遮らない差し込み部と、
シートベルトをスライド可能に保持するベルト保持部とを備え、
前記ベルト保持部は、使用時のシートベルトを、シートベルトが引戻らない角度で保持することを特徴とするシートベルト戻り止め具。
【発明の詳細な説明】
【技術分野】
【０００１】
本発明は、ショルダーベルトアンカーのベルト孔に差し込むシートベルト戻り止め具に関するものである。
【背景技術】
【０００２】
従来、自動車に設置されるシートベルト装置において、装着時の圧迫感を緩和するために種々の技術が提案されている。
【０００３】
図８〜図１０を用いて、その一例を説明する。
【０００４】
１０１はやすり部、１０２は紐穴、１０３はシートベルト収納口、１０５はくさび、Ｂはシートベルト、ＢＫはバックル、Ｈはショルダーベルトアンカー、Ｓはシートである。
【０００５】
シートベルトＢの巻き込みを行うシートベルト収納口１０３にくさび１０５を差し入れてシートベルトＢの動きを固定し、胸部および腹部に掛け渡されるシートベルトＢを緩い状態にセットできるシートベルト戻り止めくさびの技術がある（特許文献１参照）。
【０００６】
この技術によれば、胸部および腹部の圧迫感を緩和できる。
【特許文献１】特開昭６１−２９１２４８号公報
【発明の開示】
【発明が解決しようとする課題】
【０００７】
しかしながら、例えば自動車が衝突した場合、シートベルトＢが弛んだ分だけ運転手の体が前に倒れ、しかもシートベルトＢがくさび１０５でロックされてシートベルト収納口１０３から高速に引き出されないため、シートベルトＢ本来の機能を果たすことができないという問題点があった。
【０００８】
本発明は、上述のような問題点を解決するために為されたものであり、その目的とする処は、胸部および腹部に掛け渡されるシートベルト部分を緩めに調整して不快感，圧迫感から解放し、衝突時には腹部に掛け渡されるシートベルト部分は勿論、胸部に掛け渡されたシートベルト部分にもシートベルト本来の機能が働き、シートベルトへの着脱が容易で、しかも安価に製造できるシートベルト戻り止め具を提供することにある。
【課題を解決するための手段】
【０００９】
本発明は、下記構成を備えることにより上記課題を解決できるものである。
【００１０】
（１）ショルダーベルトアンカーのベルト孔に差し込むシートベルト戻り止め具であって、前記ベルト孔に差し込んでシートベルトの出し入れを遮る差し込み部と、シートベルトをスライド可能に保持するベルト保持部とを備え、シートベルト装着時は、前記ベルト保持部によって、シートベルトを引戻らない角度で保持するとともに、前記差し込み部を前記ベルト孔に差し込んでシートベルトの出し入れを遮り、シートベルトに強い力が加わったときには、前記差し込み部が前記ベルト孔から外れることで、シートベルトのロックがかかるようにすることを特徴とするシートベルト戻り止め具。
【００１１】
（２）ショルダーベルトアンカーのベルト孔に差し込むシートベルト戻り止め具であって、前記ベルト孔に差し込んでもシートベルトの出し入れを遮らない差し込み部と、シートベルトをスライド可能に保持するベルト保持部とを備え、前記ベルト保持部は、使用時のシートベルトを、シートベルトが引戻らない角度で保持することを特徴とするシートベルト戻り止め具。
【００１２】
（３）肩口にあるシートベルト収納口に差し込むシートベルト戻り止め具であって、前記シートベルト収納口に差し込んでもシートベルトの出し入れを遮らない差し込み部と、シートベルトをスライド可能に保持するベルト保持部とを備え、前記ベルト保持部は、使用時のシートベルトを、シートベルトが引戻らない角度で保持することを特徴とするシートベルト戻り止め具。
【発明の効果】
【００１３】
本発明によれば、胸部に掛け渡されるシートベルト部分を緩めに調整して不快感，圧迫感から解放し、衝突時には腹部に掛け渡されるシートベルト部分は勿論、胸部に掛け渡されたシートベルト部分にもシートベルト本来の機能が働き、シートベルトへの着脱が容易で、しかも安価に製造できるシートベルト戻り止め具を提供できる。
【発明を実施するための最良の形態】
【００１４】
以下、実施例を用いて、本発明の実施の形態について述べる。
【実施例１】
【００１５】
図１〜図６を用いて実施例１を説明する。
【００１６】
図１（ａ）は、本実施例のシートベルト戻り止め具の正面図、図１（ｂ）は、本実施例のシートベルト戻り止め具の側面図、図２は、本実施例のシートベルト戻り止め具の平面図である。
【００１７】
１は差し込み部、２はベルト保持部、３はベルト孔、４は切り欠き部、Ｘは、ベルト保持部２の差し込み方向の長さ、Ｙは、ベルト孔３のベルト幅方向の長さである。
【００１８】
本実施例のシートベルト戻り止め具は、差し込み部１とベルト保持部２とからなっている。
【００１９】
差し込み部１は薄い板状部材であって、先に行くほど薄い形状を有している（図１（ｂ）に示すように、側面から見るとテーパ状となっている。）。さらに、図１（ａ）に示すように、先端の角部分は面取りをして、ベルト孔Ｈａに挿入し易い形状となっている。材料としては可撓性を有する素材、例えば樹脂、ゴム等で構成するのが望ましい。
【００２０】
ベルト保持部２には、ベルト孔３と切り欠き部４を設けている。切り欠き部４からシートベルトＢを挿入し、ベルト孔３にシートベルトＢを挿通することで、シートベルト戻り止め具全体をスライド可能にシートベルトＢに保持することができる。ベルト保持部２の差し込み方向の長さＸは４０〜５０ｍｍ、ベルト孔３のベルト幅方向の長さは５０ｍｍもしくは５０ｍｍに若干の余裕を持たせた長さとすると、好適であった。
【００２１】
なお、切り欠き部４を設ける代わりにベルト保持部２を開閉自在の部材とすることで、開状態でシートベルトＢを挿入し、閉状態でシートベルトＢを保持するようにしてもよい。
【００２２】
本実施例のシートベルト戻り止め具は、小型かつ簡易構造の成形物であるので、シートベルトＢへの着脱が容易で、しかも安価に製造できる。
【００２３】
図３は、本実施例のシートベルト戻り止め具の装着過程を示す断面図、図４は、本実施例のシートベルト戻り止め具の装着状態を示す図である。
【００２４】
Ｂはシートベルト、Ｈはショルダーベルトアンカー、Ｈａはベルト孔である。
【００２５】
シートベルト装着時には、ベルト孔３にシートベルトＢを通した後、図３に示すように、差し込み部１をショルダーベルトアンカーＨのベルト孔Ｈａに、シートベルトＢと共に差し込む。
【００２６】
差し込み部１は薄い板状部材であり、さらに先端が薄くなっているので、容易に差し込むことができる。
【００２７】
そして、徐々に深く差し込むことで差し込み部１の厚みがショルダーベルトアンカーＨに突き当たり、図４に示すように、シートベルト戻り止め具がくさびとなってシートベルトＢの出し入れを遮る。このとき差し込みの程度は軽くてよい（詳細は後述する。）。
【００２８】
図５は、本実施例のシートベルト使用時の概略図であって、シートベルト戻り止め具を拡大して示した図、図６は、本実施例のシートベルト解除時の概略図であって、シートベルト戻り止め具を拡大して示した図である。
【００２９】
αは、シートベルト使用時のベルト角度、βは、シートベルト解除時のベルト角度、ＢＫはバックル、ＰＴは、シートベルトＢ先端のプレート、Ｓはシートである。
【００３０】
図５に示すように、シートベルト戻り止め具がショルダーベルトアンカーＨに突き当たった状態でシートベルトＢを使用すると、シートベルトＢはショルダーベルトアンカーＨのベルト孔Ｈａを通された後、さらにベルト保持部２のベルト孔３に挿通され、大きなベルト角度αをもってバックルＢＫへ到ることになる。
【００３１】
このとき、シートベルトＢに働いているシートベルト引戻力は、ベルト角度αが大きな角度であるためベルト保持部２の角で支えられることになりほとんどあるいは全く働かず、これによって胸部および腹部を圧迫する力を緩和することができる。
【００３２】
すなわち、ベルト保持部２は、使用時のシートベルトＢを、シートベルトＢが引戻らないベルト角度αで保持することができる（このことにより、前述のように、シートベルト戻り止め具の差し込みの程度が軽くても、シートベルトＢの出し入れを遮ることができる。）。
【００３３】
そして、衝突時等シートベルトに強い力が加わったときには、シートベルト戻り止め具は差し込みの程度が軽いため簡単に外れ、シートベルトＢのロックがかかる。
【００３４】
ただし、シートベルトＢを解除するときには、単にバックルＢＫからプレートＰＴを外してもシートベルトＢは引き戻されない。
【００３５】
そこで、シートベルトＢを解除するときには、図６に示すように、プレートＰＴをバックルＢＫから外した後、シートベルトＢを上方に持ち上げる。
【００３６】
こうすることによって、ベルト保持部２でのベルト角度が、小さなベルト角度βとなり、シートベルト引戻力が働くようになる。この状態でシートベルト戻り止め具をベルト孔Ｈａから外すことで、シートベルトＢが引き戻される。このとき、シートベルト戻り止め具は、ベルト保持部２によってシートベルトＢ上をスライドしているのでなくなることはなく、シートベルトＢが引き戻された後は使い易い位置に自由に置くことができる。
【００３７】
以上のように、本発明によれば、胸部および腹部に掛け渡されるシートベルト部分を緩めに調整して不快感，圧迫感から解放することができ、衝突時には腹部に掛け渡されるシートベルト部分は勿論、胸部に掛け渡されたシートベルト部分にもシートベルト本来の機能が働き、シートベルトへの着脱が容易で、しかも安価に製造できるシートベルト戻り止め具を提供できる。
【００３８】
なお、本実施例では、差し込み部１の厚みがショルダーベルトアンカーＨに突き当たった状態で使用した例について説明したが、必ずしもそうである必要はなく、差し込み部１の厚みがショルダーベルトアンカーＨに突き当たらない状態でも使用することができる。この場合、何らかの手段（例えば、輪ゴム等）によりベルト保持部２とショルダーベルトアンカーＨとの距離を調節して固定することで、使用者の体格によらず、胸部および腹部を圧迫する力を緩和することができる。
【００３９】
なおさらに、本実施例では、ショルダーベルトアンカーＨのベルト孔Ｈａに差し込み部１を差し込む例について説明したが、ショルダーベルトアンカーＨがなく、シートベルト収納口が肩口に備えられている自動車の場合、直接シートベルト収納口に差し込み部１を差し込むことで同様の効果が得られる。
【００４０】
（他の実施例）
図７を用いて、他の実施例について説明する。
【００４１】
図７（ａ）、（ｂ）は、他の実施例を説明する図である。
【００４２】
１ａ、１ｂは、別形状の差し込み部である。
【００４３】
図７（ａ）に示すように、差し込み部１ａを先に行くほど薄くなってその後均一な薄さを保つ形状にすることもできる。
【００４４】
これによって、シートベルト戻り止め具をベルト孔Ｈａに差し込むときの固定位置を定めることができる。
【００４５】
また、図７（ｂ）に示すように、差し込み部１ｂを、板状にすることもできる。
【００４６】
差し込み部１ｂを板状にすると、ベルト孔Ｈａに差し込んだ場合、差し込み部１ｂの厚みによって固定されることはなく、ベルト保持部２がショルダーベルトアンカーＨに突き当たって固定されることになる。
【００４７】
この場合、差し込み部１ｂは、シートベルトＢの引出、戻入の障害とはならず（シートベルトＢの出し入れを遮らず）、くさびとしては機能しない。
【００４８】
しかしながら、シートベルト引戻力は、ベルト角度αによってベルト保持部２の角で支えられることになりほとんどあるいは全く働かず、胸部および腹部を圧迫する力を緩和することができる。
【００４９】
すなわち、ベルト保持部２は、使用時のシートベルトＢを、シートベルトＢが引戻らないベルト角度αで保持することができる。
【００５０】
そして、角度によって支えるという構造上、シートベルト引出力は通常通り働くことから、衝突時等シートベルトに強い力が加わったときには、腹部に掛け渡されるシートベルト部分は勿論、胸部に掛け渡されたシートベルト部分にもシートベルト本来の機能が働き、ロックがかかる。
【００５１】
また、シートベルトＢを解除するときには、プレートＰＴをバックルＢＫから外した後、シートベルトＢを上方に持ち上げるだけで、シートベルトＢが引き戻される。このとき、シートベルト戻り止め具は、ベルト孔Ｈａに差し込まれたままであるので無くなることはなく、再度シートベルトＢを装着しようとするときにも改めて差し込む必要はなく、常に差し込んだ状態に置けるという利点がある。
【００５２】
以上のように、他の実施例でも本発明の目的を達することができる。また、実施例１と同様に、ショルダーベルトアンカーＨがなく、シートベルト収納口が肩口に備えられている自動車の場合、直接シートベルト収納口に差し込み部１ｂを差し込むことで同様の効果が得られる。
【図面の簡単な説明】
【００５３】
【図１】（ａ）は、本実施例のシートベルト戻り止め具の正面図、（ｂ）は、本実施例のシートベルト戻り止め具の側面図
【図２】本実施例のシートベルト戻り止め具の平面図
【図３】本実施例のシートベルト戻り止め具の装着過程を示す断面図
【図４】本実施例のシートベルト戻り止め具の装着状態を示す図
【図５】本実施例のシートベルト使用時の概略図であって、シートベルト戻り止め具を拡大して示した図
【図６】本実施例のシートベルト解除時の概略図であって、シートベルト戻り止め具を拡大して示した図
【図７】（ａ）および（ｂ）は他の実施例を説明する図
【図８】従来例を説明する図
【図９】従来例を説明する図
【図１０】従来例を説明する図
【符号の説明】
【００５４】
１  差し込み部
２  ベルト保持部
３  ベルト孔
４  切り欠き部
Ｂ  シートベルト
Ｈ  ショルダーベルトアンカー
Ｈａ  ベルト孔
α  シートベルト使用時のベルト角度
β  シートベルト解除時のベルト角度
ＢＫ  バックル
ＰＴ  シートベルトＢ先端のプレート
Ｓ  シート
【図１】
2005075097.tif 000003
【図２】
2005075097.tif 000004
【図３】
2005075097.tif 000005
【図４】
2005075097.tif 000006
【図５】
2005075097.tif 000007
【図６】
2005075097.tif 000008
【図７】
2005075097.tif 000009
【図８】
2005075097.tif 000010
【図９】
2005075097.tif 000011
【図１０】
2005075097.tif 000012